(57)【要約】【課題】古くなった埋設管は、取り替えるのが理想であるが、それは非常に時間と費用のかかることである。よって、埋設管を補修することになるが、このような補修には、プラスチック製の筒状体を埋設管の内面に接着することが行なわれている。これはポリプロピレンやポリエチレン等のプラスチックシート製の筒状体を埋設管の中に挿入し熱や圧縮空気で膨らませて埋設管に密着させるものである。しかしながら、膨張可能なプラスチックシートを内面に貼付するだけでは、小さなクラックの密閉程度の効果はあるが、そのクラックに再度荷重がかかったときに破壊を防止する程度の強度は有していない。そこで、本発明では、強度のある埋設管及び埋設管の補強方法を提供する。【解決手段】埋設管の内部に、カーボン繊維を織った織布からなる補強織布があり、さらにその内側にプラスチックシートが固着された状態で補強されたもの。【選択図】  図１
2009138784.tif 000002
【特許請求の範囲】
【請求項１】
埋設管の内部に、カーボン繊維を織った織布からなる補強織布があり、さらにその内側にプラスチックシートが固着された状態で補強されたことを特徴とする補強埋設管。
【請求項２】
埋設管にカーボン繊維を織った織布からなる筒状体を挿入し、該筒状体の内側にプラスチックチューブを挿入し、該プラスチックチューブに圧縮エアーを導入し、該プラスチックチューブ及び該筒状体を埋設管内面に密着させることを特徴とする埋設管の補強方法。
【請求項３】
カーボン繊維を織った織布からなる筒状体に、プラスチックチューブを挿入し、その後全体を埋設管内に導入し、該プラスチックチューブに圧縮エアーを導入し、該プラスチックチューブ及び該筒状体を埋設管内面に密着させることを特徴とする埋設管の補強方法。
【発明の詳細な説明】
【技術分野】
【０００１】
本発明は、補強埋設管及び埋設管の補強方法に関するものである。
【背景技術】
【０００２】
埋設管とは、上下水道管、ガス管その他地中に埋設されている管をいう。
このような埋設管は、地中の水分による腐食、自動車や地震等の振動による破損等から免れることはできない。ガス管等はそのような破損、クラックによってガス漏れが生じると非常に危険である。
【０００３】
このような古くなった埋設管は、取り替えるのが理想であるが、それは非常に時間と費用のかかることである。よって、埋設管をそのままにして、補修、補強ができればよい。
【０００４】
従来、このような補修には、プラスチック製の筒状体を埋設管の内面に接着することが行なわれている。これはポリプロピレンやポリエチレン等のプラスチックシート製の筒状体を埋設管の中に挿入し熱や圧縮空気で膨らませて埋設管に密着させるものである。プラスチックシートには熱硬化性樹脂等を予め塗布しておき、密着したときに強固に接着するようにしている。
【発明の開示】
【発明が解決しようとする課題】
【０００５】
しかしながら、膨張可能なプラスチックシートを内面に貼付するだけでは、小さなクラックの密閉程度の効果はあるが、そのクラックに再度荷重がかかったときに破壊を防止する程度の強度は有していない。
【０００６】
結局、埋設管自体の破壊をくい止めるほどの補強効果のある方法はなかったのである。そこで、本発明では、そのような強度のある埋設管及び埋設管の補強方法を提供する。
【課題を解決するための手段】
【０００７】
以上のような状況に鑑み、本発明者は鋭意研究の結果本発明補強埋設管及び埋設管の補強方法を完成したものであり、その特徴とするところは、補強埋設管にあっては、埋設管の内部に、カーボン繊維を織った織布からなる補強織布があり、さらにその内側にプラスチックシートが固着された状態で補強された点にあり、埋設管の補強方法にあっては、埋設管にカーボン繊維を織った織布からなる筒状体を挿入し、該筒状体の内側にプラスチックチューブを挿入し、該プラスチックチューブに圧縮エアーを導入し、該プラスチックチューブ及び該筒状体を埋設管内面に密着させる点にあり、他の態様では、カーボン繊維を織った織布からなる筒状体に、プラスチックチューブを挿入し、その後全体を埋設管内に導入し、該プラスチックチューブに圧縮エアーを導入し、該プラスチックチューブ及び該筒状体を埋設管内面に密着させる点にある。
【０００８】
ここでいうカーボン繊維を織った織布とは、カーボン繊維を通常の糸として織った布であり、その繊維の太さ、撚る本数、織り方、布の厚み等は自由である。埋設管のサイズ、材質、新しさ、使用条件等によって決めればよい。
このカーボン繊維を織った織布にした理由は、繊維自体が引張り強度に非常に優れており、伸縮も少ないためである。このように、伸縮が小さいということは、埋設管に密着させて接着したときに、埋設管が割れたり、曲がったしないとううことになり、織物自体が柔らかくても埋設管を保護、補強できるということである。
【０００９】
カーボン繊維と埋設管の接着に使用する接着剤はどのようなものでもよく、熱硬化性樹脂でも、熱可塑性樹脂でも、また反応硬化性樹脂でもよい。例えば、エポキシ系、アクリル系その他どのようなものでもよい。本発明の趣旨には関係はない。接着剤の適用方法も自由であり、カーボン繊維製の織布の裏面（埋設管と接する方）のみに塗布しても、表裏面に塗布しても、又は含浸させてもよい。
【００１０】
ここでいうプラスチックチューブとは、前記カーボン繊維製の織布を埋設管の直面に押し当てるためのもので、熱や圧縮エアーによって膨張又は広がって埋設管の内面に接頭するものである。材質としては、ポリプロピレンやポリエチレン等が好適である。
【００１１】
圧縮エアーによる場合には、プラスチックチューブの先端を密閉してエアーが封止されるようにし、他方からエアーを導入してプラスチックチューブを膨らませて埋設管に密着させるのである。
【００１２】
加熱方式でも同様でありヒーターである電線を導入するタイプや熱風を導入する方法等がある。
【００１３】
補強方法としては、カーボン繊維製の筒状体を先に埋設管に入れて、その後その筒状体の中にプラスチックチューブを挿入する方法でも、予めカーボン繊維製の筒状体の中にプラスチックチューブを挿入しておき、それを一緒に埋設管の中に挿入する方法でもよい。
【発明の効果】
【００１４】
本発明下埋設管及び埋設管の補強方法には次のような効果がある。
（１）  カーボン繊維を織ったものを使用しているため、繊維がほとんど伸びず、且つ強度も非常に大きいため、補強効果が非常に大きい。
（２）  単なる漏れ止めやクラック防止にとどまらず、大きな破壊や損傷も防止できる。
（３）  補強工事の手間は従来の方法とほとんど変わらない。
（４）  カーボン繊維が腐食せず、耐久性に優れているため、本発明方法で補強すれば、非常に長く効果が続く。
【発明を実施するための最良の形態】
【００１５】
以下実施例に基づいて、本発明をより詳細に説明する。
【実施例１】
【００１６】
図１は、本発明補強埋設管１の１例を示す部分破断斜視図である。埋設管２の内側にカーボン繊維製の織布（筒状になっている）３が密着しており、その内側にプラスチックチューブ４が密着している。
それぞれは接着剤（熱硬化性樹脂）で強固に接着されている。
【００１７】
このような状態で、埋設管２が破損して折れようとすると、織布２に張力がかかる。カーボン繊維は引張り強度が非常に大きいため、伸びない。結果として埋設管が折れないということになる。
【図面の簡単な説明】
【００１８】
【図１】本発明補強埋設管の１例を示す部分破断斜視図である。
【符号の説明】
【００１９】
１  補強埋設管
２  埋設管
３  カーボン繊維製の織布
４  プラスチックチューブ
【図１】
2009138784.tif 000003